(57)【特許請求の範囲】
【請求項１】
レコーダからの通知により、該レコーダの状態を監視する状態監視部と、
前記状態監視部により監視されている前記レコーダの状態に基づき、録画動作を実行させるレコーダを選択するレコーダ選択部と、
前記レコーダ選択部により選択された前記レコーダに、通信ネットワークを介して録画動作の指示を出す指示部と
を有し、
前記状態監視部により監視される前記レコーダの状態は、少なくとも電波の受信レベルと、前記通信ネットワークの回線速度と、前記通信ネットワークの回線品質と、該レコーダの起動状態と、該レコーダのスペックとを含み、
前記レコーダ選択部は、番組の画質と、前記状態監視部により監視される受信レベル、回線速度、回線品質、及びスペックの少なくとも一つとに基づいて、録画動作を実行させるレコーダを選択する
レコーダ管理装置。
【請求項２】
前記状態監視部は、監視対象のレコーダに関して、状態を監視し、
前記指示部は、前記状態監視部により監視されている前記レコーダのうち、常時、少なくとも１台が、録画指示の受付準備ができている状態となるように、監視されているレコーダに対して、通信ネットワークを介して起動の指示を出す
請求項１に記載のレコーダ管理装置。
【請求項３】
前記指示部は、前記レコーダ選択部により選択された前記レコーダに、電子番組表に基づいて、録画対象となる番組が始まる前に通信ネットワークを介して起動の指示を出す
請求項１に記載のレコーダ管理装置。
【請求項４】
前記レコーダから送信されてくる録画データを記憶媒体に蓄積する録画データ蓄積部と、
前記状態監視部により監視される前記レコーダの状態に基づき、録画データを送信させる該レコーダを切り替える切り替え部と
をさらに有し、
前記録画データ蓄積部は、前記切り替え部により切り替えられた先の前記レコーダから、切り替え時のタイムラグにより生じた録画データの欠損部分を受信し、受信した録画データの欠損分を蓄積する
請求項１に記載のレコーダ管理装置。
【請求項５】
放送番組を録画するレコーダと、レコーダ管理装置とを含むレコーダ管理システムであって、
前記レコーダは、
該レコーダの状態を前記レコーダ管理装置に通知する状態通知部と、
前記レコーダ管理装置の通信ネットワークを介した指示に従って、該レコーダの録画動作を制御する制御部と
を有し、
前記レコーダ管理装置は、
前記レコーダからの通知により、該レコーダの状態を監視する状態監視部と、
前記状態監視部により監視されている前記レコーダの状態に基づき、録画動作を実行させる該レコーダを選択するレコーダ選択部と、
前記レコーダ選択部により選択された前記レコーダに、通信ネットワークを介して録画動作の指示を出す指示部と
を有し、
前記状態監視部により監視される前記レコーダの状態は、少なくとも電波の受信レベルと、前記通信ネットワークの回線速度と、前記通信ネットワークの回線品質と、該レコーダの起動状態と、該レコーダのスペックとを含み、
前記レコーダ選択部は、番組の画質と、前記状態監視部により監視される受信レベル、回線速度、回線品質、及びスペックの少なくとも一つとに基づいて、録画動作を実行させるレコーダを選択する
レコーダ管理システム。
【請求項６】
レコーダからの通知により、該レコーダの状態を監視する状態監視機能と、
前記状態監視機能により監視されている前記レコーダの状態に基づき、録画動作を実行させる該レコーダを選択するレコーダ選択機能と、
前記レコーダ選択機能により選択された前記レコーダに、通信ネットワークを介して録画動作の指示を出す指示機能と
をコンピュータに実現させ、
前記状態監視機能により監視される前記レコーダの状態は、少なくとも電波の受信レベルと、前記通信ネットワークの回線速度と、前記通信ネットワークの回線品質と、該レコーダの起動状態と、該レコーダのスペックとを含み、
前記レコーダ選択機能は、番組の画質と、前記状態監視機能により監視される受信レベル、回線速度、回線品質、及びスペックの少なくとも一つとに基づいて、録画動作を実行させるレコーダを選択する
プログラム。
【請求項７】
レコーダからの通知により、該レコーダの状態を監視する状態監視ステップと、
前記状態監視ステップにより監視されている前記レコーダの状態に基づき、録画動作を実行させる該レコーダを選択するレコーダ選択ステップと、
前記レコーダ選択ステップにより選択された前記レコーダに、通信ネットワークを介して録画動作の指示を出す指示ステップと
を有し、
前記状態監視ステップにより監視される前記レコーダの状態は、少なくとも電波の受信レベルと、前記通信ネットワークの回線速度と、前記通信ネットワークの回線品質と、該レコーダの起動状態と、該レコーダのスペックとを含み、
前記レコーダ選択ステップは、番組の画質と、前記状態監視ステップにより監視される受信レベル、回線速度、回線品質、及びスペックの少なくとも一つとに基づいて、録画動作を実行させるレコーダを選択する
レコーダ管理方法。
【発明の詳細な説明】
【技術分野】
【０００１】
本発明は、レコーダ管理システムに関するものである。
【背景技術】
【０００２】
例えば、特許文献１には、装置内に搭載され、所定の記憶領域を有する内蔵記録装置と、録画を指示されたコンテンツを前記内蔵記録装置に録画する録画部と、前記内蔵記憶装置に記憶された個々のコンテンツに対してロック指定の有無、「削除可」、「移動可」が設定されたコンテンツ管理情報記憶部と、電子番組表からの録画予約操作またはキー操作により新たなコンテンツの録画予約が指示された場合、前記電子番組表またはキー操作により取得された前記コンテンツの録画時間と予め設定された録画ビットレートとから録画に必要なコンテンツの録画容量を計算する計算部と、前記計算部により計算された録画容量と前記内蔵記憶装置の空き領域とを比較して前記録画容量を超える空き領域が確保されているか否かを判定する判定部と、前記判定部による判定の結果、前記内蔵記憶装置に前記録画容量を超える空き領域が確保されない場合に、前記コンテンツ管理情報記憶部を参照してロック無指定でかつ「削除可」のコンテンツを削除して前記内蔵記憶装置の空き領域を増加する削除部と、前記削除部により「削除可」のコンテンツが削除された場合でも、前記録画容量を超える空き領域を前記内蔵記憶装置に確保できない場合に外部記憶装置の接続の有無とその空き領域の有無をチェックする外部記憶装置チェック部と、前記外部記憶装置チェック部による前記外部記憶装置のチェックの結果、接続されている前記外部記憶装置に空き領域が存在する場合に、前記コンテンツ管理情報記憶部を参照して、「移動可」と設定されている前記内蔵記憶装置のコンテンツを、前記録画容量を超える空き領域が確保されるまで前記外部記憶装置へ移動する移動部とを具備することを特徴とするコンテンツ録画装置が開示されている。
【先行技術文献】
【特許文献】
【０００３】
【特許文献１】特開２００９−９６６８号公報
【発明の概要】
【発明が解決しようとする課題】
【０００４】
本発明は、複数のレコーダを連携して制御するためのレコーダ管理システムを提供する。
【課題を解決するための手段】
【０００５】
本発明に係るレコーダ管理装置は、レコーダからの通知により、該レコーダの状態を監視する状態監視部と、前記状態監視部により監視されている前記レコーダの状態に基づき、録画動作を実行させるレコーダを選択するレコーダ選択部と、前記レコーダ選択部により選択された前記レコーダに、通信ネットワークを介して録画動作の指示を出す指示部とを有する。
【０００６】
好適には、前記状態監視部により監視される前記レコーダの状態は、少なくとも電波の受信レベルと、前記通信ネットワークの回線速度と、前記通信ネットワークの回線品質と、該レコーダの起動状態とを含み、前記レコーダ選択部は、前記状態監視部により監視される受信レベル、回線速度及び回線品質の少なくとも一つに基づいて、録画動作を実行させるレコーダを選択する。
好適には、前記状態監視部により監視される前記レコーダの状態は、さらに前記レコーダのスペックを含み、前記レコーダ選択部は、前記状態監視部により監視されるレコーダのスペックに基づいて、録画動作を実行させるレコーダを選択する。
好適には、前記状態監視部は、監視対象のレコーダに関して、状態を監視し、前記指示部は、前記状態監視部により監視されている前記レコーダのうち、常時、少なくとも１台が、録画指示の受付準備ができている状態となるように、監視されているレコーダに対して、通信ネットワークを介して起動の指示を出す。
好適には、前記指示部は、前記レコーダ選択部により選択された前記レコーダに、電子番組表に基づいて、録画対象となる番組が始まる前に通信ネットワークを介して起動の指示を出す。
好適には、前記レコーダから送信されてくる録画データを記憶媒体に蓄積する録画データ蓄積部と、前記状態監視部により監視される前記レコーダの状態に基づき、録画データを送信させる該レコーダを切り替える切り替え部とをさらに有し、前記録画データ蓄積部は、前記切り替え部により切り替えられた先の前記レコーダから、切り替え時のタイムラグにより生じた録画データの欠損部分を受信し、受信した録画データの欠損分を蓄積する。
【０００７】
本発明に係るレコーダ管理システムは、放送番組を録画するレコーダと、レコーダ管理装置とを含むレコーダ管理システムであって、前記レコーダは、該レコーダの状態を前記レコーダ管理装置に通知する状態通知部と、前記レコーダ管理装置の通信ネットワークを介した指示に従って、該レコーダの録画動作を制御する制御部とを有し、前記レコーダ管理装置は、前記レコーダからの通知により、該レコーダの状態を監視する状態監視部と、前記状態監視部により監視されている前記レコーダの状態に基づき、録画動作を実行させる該レコーダを選択するレコーダ選択部と、前記レコーダ選択部により選択された前記レコーダに、通信ネットワークを介して録画動作の指示を出す指示部とを有する。
【０００８】
本発明に係るプログラムは、レコーダからの通知により、該レコーダの状態を監視する状態監視機能と、前記状態監視機能により監視されている前記レコーダの状態に基づき、録画動作を実行させる該レコーダを選択するレコーダ選択機能と、前記レコーダ選択機能により選択された前記レコーダに、通信ネットワークを介して録画動作の指示を出す指示機能とをコンピュータに実現させる。
【０００９】
本発明に係るレコーダ管理方法は、レコーダからの通知により、該レコーダの状態を監視する状態監視ステップと、前記状態監視ステップにより監視されている前記レコーダの状態に基づき、録画動作を実行させる該レコーダを選択するレコーダ選択ステップと、前記レコーダ選択ステップにより選択された前記レコーダに、通信ネットワークを介して録画動作の指示を出す指示ステップとを有する。
【発明の効果】
【００１０】
本発明によれば、複数のレコーダを連携して制御することができる。
【図面の簡単な説明】
【００１１】
【図１】レコーダ管理システムの全体構成を例示する図である。
【図２】レコーダ制御プログラム１００及びレコーダ管理プログラム２００の機能構成を例示する図である。
【図３】レコーダＤＢ２０４を例示する図である。
【図４】録画処理Ｓ１０のフローチャートである。
【図５】変形例４における、レコーダ制御プログラム３００及びレコーダ管理プログラム４００の機能構成を例示する図である。
【図６】変形例４における、レコーダの切り替えを説明する図である。
【発明を実施するための形態】
【実施例１】
【００１２】
図１は、レコーダ管理システム１の全体構成を例示する図である。
図１に例示するように、レコーダ管理システム１は、レコーダ１０a、１０ｂ、及び１０ｃ（以下、「レコーダ１０ａ〜ｃ」と表記する。）と、レコーダ管理装置２０とを有している。レコーダ１０ａ〜ｃは、それぞれ通信ネットワーク３０を介してレコーダ管理装置２０に接続している。なお、通信ネットワーク３０は、特に限定するものではなく、インターネット、携帯電話通信網、ＣＡＴＶ網、又はＬＡＮ（Local Area Network）などであればよい。
以下、本図に示される各構成について説明する。
【００１３】
レコーダ１０ａ〜ｃは、電波又はＣＡＴＶ網などにより配信される画像データを受信する機器である。レコーダ１０ａ〜ｃは、受信した画像データを一旦記録してもよいし、直ちにレコーダ管理装置２０に転送してもよい。
本例では、レコーダ１０ａ〜ｃは、後述するレコーダ制御プログラム１００をインストールされ、主にレコーダの状態をレコーダ管理装置２０に通知したり、レコーダ管理装置２０の指示に従って録画動作などを実行したりする。
【００１４】
レコーダ管理装置２０は、通信ネットワーク３０を介してレコーダ１０ａ〜ｃの状態に応じて、レコーダ１０ａ〜ｃの動作を制御する。
本例では、レコーダ管理装置２０は、後述するレコーダ管理プログラム２００をインストールされ、主にレコーダ１０ａ〜ｃから通信されるレコーダの状態に応じて、録画動作を実行させるレコーダを選択したり、通信ネットワーク３０を介してレコーダ１０ａ〜ｃに指示を出し、レコーダ１０ａ〜ｃの録画動作などを制御したりする。
【００１５】
以上説明した構成によれば、ユーザは、レコーダ管理装置２０を用いて、遠隔にあるレコーダ１０ａ〜ｃの状態に応じて、レコーダ１０ａ〜ｃの動作を連携して制御することができる。
【００１６】
図２は、レコーダ制御プログラム１００及びレコーダ管理プログラム２００の機能構成を例示する図である。
図２に例示するように、レコーダ制御プログラム１００は、状態通知部１０２と、制御部１０４とを有する。
レコーダ管理プログラム２００は、状態監視部２０２と、表示部２０６と、入力部２０８と、レコーダ選択部２１０と、指示部２１２とを有する。また、レコーダ管理プログラム２００は、レコーダデータベース（レコーダＤＢ）２０４の読み書きを行う。
なお、レコーダ制御プログラム１００及びレコーダ管理プログラム２００の一部又は全部の構成部は、ＡＳＩＣ等のハードウェアにより実現されてもよい。
以下、本図に示される各構成について説明する。
【００１７】
レコーダ制御プログラム１００における状態通知部１０２は、レコーダ１０の状態をレコーダ管理装置２０に通知する。ここで、「通知」とは、自立的かつ一方的にレコーダがレコーダ管理装置に通知する形態と、レコーダ管理装置からの要求（ポーリング）に応じてレコーダが返答する形態とを含む概念である。
本例では、状態通知部１０２は、レコーダ１０の状態として、電波の受信レベルと、レコーダ１０からレコーダ管理装置２０までの通信ネットワーク３０の回線速度及び回線品質と、レコーダ１０の装置状態とを、レコーダＩＤに関連付けて通信ネットワーク３０を介して定期的にレコーダ管理装置２０に通知する。
なお、レコーダ１０の状態には、静的なものだけでなく、環境などに応じて動的に変更するものも含まれる。
【００１８】
制御部１０４は、レコーダ１０の各種動作を制御する。
本例では、制御部１０４は、レコーダ管理装置２０の通信ネットワーク３０を介した指示に従って、レコーダ１０の録画動作を制御する。
【００１９】
レコーダ管理プログラム２００における状態監視部２０２は、レコーダ１０からの通知により、レコーダ１０の状態を監視する。ここで、レコーダの状態とは、電波（放送波など）の受信状態、レコーダが接続するネットワーク回線（ＬＡＮ回線など）の状態を示す回線状態、及び、レコーダ自身の装置状態、を含む概念である。さらに、装置状態とは、レコーダの電源ＯＮ又はＯＦＦなどを示す電源状態、及び、録画指示の受付準備ができているか否かを示す状態を含む。なお、録画指示の受付準備ができているか否かを示す状態とは、レコーダに設けられた全チューナが使用中であるか否かを示す使用状態と、故障しているか否かを示す故障状態と、電源状態とからなる。
本例では、状態監視部２０２は、レコーダ制御プログラム１００における状態通知部１０２から、通信ネットワーク３０を介してレコーダ１０の状態を受信する。そして、状態監視部２０２は、受信したレコーダ１０の状態を、レコーダＤＢ２０４に格納する。
【００２０】
レコーダＤＢ２０４は、図３に例示するように、データ項目として、レコーダＩＤと、受信レベルと、回線速度と、回線品質と、起動状態とを有する。
レコーダＩＤは、状態を通知するレコーダ１０を特定するための識別情報である。例えば、レコーダＩＤは、文字、数字、及び記号などの組み合わせにより表わされる。
受信レベルは、受信状態の一例であり、レコーダ１０の電波の受信レベルを表わす。本例では、受信レベルは、高、中、及び低の３段階で表わされる。
回線速度は、回線状態の一例であり、レコーダ１０とレコーダ管理装置２０とを結ぶ通信ネットワーク３０の単位時間あたりの送受信可能な通信量を表わす。本例では、回線速度は、「ｂｐｓ」という単位を用いて、１秒あたりの通信量（ビット単位）で表わされる。
回線品質は、レコーダ１０とレコーダ管理装置２０とを結ぶ通信ネットワーク３０における通信エラーの発生頻度の大きさにより表わされる。本例では、回線品質は、優、良、及び可の３段階で表わされる。
ステータスは、装置状態の一例であり、例えば、レコーダ管理装置２０の起動の有無（電源状態）、故障の有無（故障状態）、又は、使用状態を表わす。本例では、起動状態は、「ＯＮ」又は「ＯＦＦ」により起動の有無を表わし、「Ｔｒｏｕｂｌｅ」により故障していることを表わし、「Ｂｕｓｙ」により「搭載されている全チューナが使用中であること」を表わす。
【００２１】
表示部２０６は、レコーダ１０の状態を表示する。
本例では、表示部２０６は、レコーダＤＢ２０４に格納されている情報を表示する。
【００２２】
入力部２０８は、ユーザの入力をキーボード、マウス、タッチパネル、又はボタンなどの各種入力手段により受け付ける。
本例では、入力部２０８は、ユーザによる録画動作を指定する入力を受け付ける。なお、録画動作を指定する入力には、例えば、録画予約若しくは取り消し、録画予約一覧表示、録画番組一覧表示、又は録画番組削除などがある。
【００２３】
レコーダ選択部２１０は、状態監視部２０２により監視されているレコーダ１０の状態に基づき、録画動作を実行させるレコーダ１０を選択する
本例では、レコーダ選択部２１０は、入力部２０８により受け付けたユーザの入力に応じて、レコーダＤＢ２０４に格納されているレコーダ１０の状態に基づき、録画動作を実行させるレコーダ１０を選択する。例えば、録画する番組の画質が最高品質の場合、レコーダ選択部２１０は、受信レベルが良く、回線速度が速く、さらに回線品質が良いレコーダ１０を選ぶ。また、例えば、あるレコーダの起動状態が「Ｂｕｓy」の場合、レコーダ選択部２１０は、起動状態が「ＯＮ」で、かつ「Ｂｕｓy」ではない他のレコーダを選択する。
【００２４】
指示部２１２は、レコーダ選択部２１０により選択されたレコーダ１０に、通信ネットワーク３０を介して録画動作の指示を出す。
本例では、指示部２１２は、レコーダ制御プログラム１００における制御部１０４に、通信ネットワーク３０を介して録画動作の指示を出す。
【００２５】
図４は、録画処理Ｓ１０のフローチャートである。
図４に例示するように、ステップ１００（Ｓ１００）において、入力部２０８は、録画動作を指定するユーザの入力を受け付けたか否かを判定する。レコーダ管理プログラム２００は、ユーザの入力を受け付けた場合、Ｓ１０２に移行し、ユーザの入力を受け付けていない場合、Ｓ１００を繰り返す。
【００２６】
ステップ１０２（Ｓ１０２）において、レコーダ選択部２１０は、レコーダＤＢ２０４に格納されているレコーダ１０の状態を参照する。
【００２７】
ステップ１０４（Ｓ１０４）において、レコーダ選択部２１０は、Ｓ１０２で参照したレコーダ１０の状態に基づき、録画動作を実行させるレコーダ１０を選択する。
【００２８】
ステップ１０６（Ｓ１０６）において、指示部２１２は、Ｓ１０４で選択されたレコーダ１０に、通信ネットワーク３０を介して録画動作の指示を出す。
【００２９】
以上説明した構成及び動作によれば、レコーダ管理システム１は、複数のレコーダ１０を連携させることで、１台のレコーダ１０のチューナ数以上の録画予約を同時期に受け付けることができる。また、ユーザは、レコーダ管理装置２０を用いて、１つの画面から複数のレコーダ１０の制御を行うことができる。また、レコーダ管理システム１は、ユーザの録画要求に応じて、録画するための最適なレコーダ１０を選択することができる。
【００３０】
［変形例１］
上記実施例では、レコーダＤＢ２０４は、データ項目として、レコーダＩＤと、受信レベルと、回線速度と、回線品質と、起動状態とを有していたが、さらにスペックを有してもよい。
スペックは、レコーダ１０の仕様又は性能などを表わす。例えば、スペックは、フルハイビジョンの高画質での録画が可能か否かなどを表わす。
【００３１】
［変形例２］
指示部２１２は、平常時、状態監視部２０２により監視されているレコーダ１０に対して、監視下にあるレコーダの少なくとも一台が録画指示の受付準備ができている状態となるように、通信ネットワーク３０を介して起動の指示を出してもよい。
これにより、レコーダ管理装置２０は、ユーザの入力に応じて、起動しているレコーダ１０に即時録画を実行させることができる。
【００３２】
［変形例３］
指示部２１２は、レコーダ選択部２１０により選択されたレコーダ１０に、電子番組表に基づいて、録画対象となる番組が始まる前に通信ネットワーク３０を介して起動の指示を出してもよい。なお、電子番組表は、レコーダ管理装置２０により放送電波又はインターネットなどを通じて取得されればよい。
これにより、レコーダ管理装置２０は、録画時間になるまでに、選択されたレコーダ１０を起動させ、録画時間になると、起動させたレコーダ１０に即時録画を実行させることができる。
【００３３】
［変形例４］
図５は、変形例４における、レコーダ制御プログラム３００及びレコーダ管理プログラム４００の機能構成を例示する図である。
図５に例示するように、レコーダ制御プログラム３００は、図２に示したレコーダ制御プログラム１００に録画データ送信部３０６と、バッファリング部３０８とを追加したものである。
レコーダ管理プログラム４００は、図２に示したレコーダ管理プログラム２００に録画データ蓄積部４１４と、切り替え部４１６とを追加したものである。
以下、本図に示した各構成において、図２の構成と異なる部分について説明する。
【００３４】
レコーダ制御プログラム３００における録画データ送信部３０６は、録画データを通信ネットワーク３０を介してレコーダ管理装置２０に送信する。
本例では、録画データ送信部３０６は、制御部１０４により実行された録画動作において生成される録画データを、通信ネットワーク３０を介して、レコーダ管理プログラム４００における録画データ蓄積部４１４に送信する。
【００３５】
バッファリング部３０８は、自身が切り替え先のレコーダ１０となる場合、別の選択されたレコーダ１０が録画している映像の録画データをバッファリングする。
本例では、バッファリング部３０８は、制御部１０４の指示に従って、指定された映像の録画データのバッファリングを開始する。そして、選択されたレコーダ１０の故障などにより自身が録画動作をするように切り替わったとき、バッファリング部３０８は、制御部１０４の指示に従って、バッファリングした録画データのうち、切り替え時のタイムラグにより生じた録画データの欠損部分を、通信ネットワーク３０を介して、レコーダ管理プログラム４００における録画データ蓄積部４１４に送信する。
【００３６】
レコーダ管理プログラム４００における録画データ蓄積部４１４は、通信ネットワーク３０を介して、レコーダ１０から受信した録画データを記憶媒体に記録する。
本例では、録画データ蓄積部４１４は、切り替え時において、先の選択されたレコーダ１０の録画データに、切り替え後のレコーダ１０でバッファリングされていた録画データを連結し、引き続いて、切り替え後のレコーダ１０から受信した録画データを記憶媒体に記録する。
【００３７】
切り替え部４１６は、故障などにより録画動作できなくなったレコーダ１０に代わり、録画動作を実行するレコーダ１０に、通信ネットワーク３０を介して録画動作の指示を出す。
本例では、切り替え部４１６は、通信ネットワーク３０を介して、切り替え先となるレコーダ制御プログラム３００における制御部１０４に切り替え動作の指示を出す。なお、切り替え部４１６は、状態監視部２０２からの通知によりレコーダ１０の故障などの異常を検知する。
【００３８】
図６は、変形例４における、レコーダの切り替えを説明する図である。
図６に例示するように、ステップ１では、レコーダ１０aは、レコーダ管理装置２０の指示に従って、録画データ５００をレコーダ管理装置２０に送信する。
【００３９】
ステップ２では、レコーダ管理装置２０は、レコーダ１０ａから受信した録画データを記憶媒体に記録する。
【００４０】
ステップ３では、レコーダ管理装置２０は、レコーダ１０ａで録画されている映像の録画データをバッファリングするようにレコーダ１０ｂに指示を出す。
【００４１】
ステップ４では、レコーダ１０ｂは、レコーダ管理装置２０の指示に従って、バッファリングデータ５１０（バッファリングされた録画データ）を記憶媒体に記録する。
【００４２】
ステップ５では、レコーダ管理装置２０は、レコーダ１０ａの異常を検知する。
【００４３】
ステップ６では、レコーダ管理装置２０は、切り替え先となるレコーダ１０ｂに切り替えの指示を出す。
【００４４】
ステップ７では、レコーダ１０ｂは、バッファリングデータ５１０のうち、切り替え時のタイムラグにより生じた録画データの欠損部分を、レコーダ管理装置２０に送信する。レコーダ管理装置２０は、受信したバッファリングデータ５１０をレコーダ１０ａから受信した録画データ５００に連結する。
【００４５】
ステップ８では、レコーダ１０ｂは、引き続いて録画動作を実行し、録画データ５２０をレコーダ管理装置２０に送信する。レコーダ管理装置２０は、レコーダ１０ｂから受信した録画データ５２０を、録画データ５００及びバッファリングデータ５１０に連結する。
【００４６】
以上説明した構成及び動作によれば、レコーダ管理システム１は、録画データの欠損を出さずに、レコーダ１０を切り替えることができる。なお、本変形例では、レコーダ間で録画動作を引き継ぐ形態を説明したが、これに限定されるものではなく、レコーダ管理システム１は、複数のレコーダ１０に同一の番組を録画させ（録画動作の二重化）、メインとなる一つのレコーダで番組の録画が成功したことを条件として、他のレコーダの録画データを消去させるようにしてもよい。
【符号の説明】
【００４７】
１      レコーダ管理システム
１０    レコーダ
２０    レコーダ管理装置
３０    通信ネットワーク
１００  レコーダ制御プログラム
１０２  状態通知部
１０４  制御部
２００  レコーダ管理プログラム
２０２  状態監視部
２０４  レコーダＤＢ
２０６  表示部
２０８  入力部
２１０  レコーダ選択部
２１２  指示部
３００  レコーダ制御プログラム（変形例４）
３０６  録画データ送信部
３０８  バッファリング部
４００  レコーダ管理プログラム
４１４  録画データ蓄積部
４１６  切り替え部
５００  録画データ（切り替え前）
５１０  バッファリングデータ
５２０  録画データ（切り替え後）
【図１】
0005681935.tif 000002
【図２】
0005681935.tif 000003
【図３】
0005681935.tif 000004
【図４】
0005681935.tif 000005
【図５】
0005681935.tif 000006
【図６】
0005681935.tif 000007